(57)【要約】【課題】本発明は、ワンタッチで自在にウェスト長さと形態を適合させることができ、緊締感を感じさせることがなく、就寝時に睡眠を妨げられることのない迅速フィット快適下着を提供することを目的とする。【解決手段】本発明の迅速フィット快適下着は、腰周り部の腹部正面から各腰骨までの対称的な位置に切り込み２ａ，２ｂが形成され、切り込み２ａ，２ｂ間の布片が前方カバー片１０とされ、装着部４ａ，４ｂが、前方カバー片１０の各縁部６ａ，６ｂから臀部側に伸長されたマジックテープ（登録商標）５ａ，５ｂと、各臀部側縁部８ａ，８ｂに取り付けられた伸縮帯７ａ，７ｂと、これから腹部側に伸長されてマジックテープ（登録商標）５ａ，５ｂと着脱可能なマジックテープ（登録商標）８ａ，８ｂと、から構成され、着脱位置を調整することで腰周り部のウェスト長さと前方カバー片の形状を適合させることを主要な特徴とする。【選択図】図３
2006249621.tif 000002
【特許請求の範囲】
【請求項１】
両脚を挿通するとともに股間部を覆い、腰周り部にズレ落ち防止用の装着部が設けられた迅速フィット快適下着であって、前記腰周り部の腹部正面から各腰骨までの間の対称的な位置に第１の切り込みと第２の切り込みが形成され、前記第１及び第２の切り込み間の布片が腹部を覆うための前方カバー片とされ、且つ、前記装着部が、前記前方カバー片の前記第１及び第２の切り込みの各縁部からそれぞれ臀部側に向けて伸長された第１の迅速接着帯と、前記腰周り部の前記第１及び第２の切り込みの各臀部側縁部に一端が取り付けられ腹部に向けて伸長された伸縮帯と、該各伸縮帯の他端に設けられ更に腹部向けて伸長されて前記第１の迅速接着帯と着脱可能な第２の迅速接着帯と、から構成され、前記第１及び第２の迅速接着帯の着脱位置を調整することにより、使用者体型に応じて前記腰周り部のウェスト長さと前記前方カバー片の形状を適合させることを特徴とする迅速フィット快適下着。
【請求項２】
前記第１及び第２の迅速接着帯がいずれもマジックテープ（登録商標）で形成されたことを特徴とする請求項１記載の迅速フィット快適下着。
【請求項３】
前記前方カバー片の腹部側には、使用者の膨出した腹部を圧迫せずに収容できる腹部収容受けが形成されるとともに、前記第１及び第２の切り込みの各縁部にそれぞれ前記第１の迅速接着帯が設けられていることを特徴とする請求項１または２記載の迅速フィット快適下着。
【請求項４】
前記伸縮帯が脚側から胴側に向って伸縮率が大きく形成されたことを特徴とする請求項１〜３のいずれかに記載の迅速フィット快適下着。
【請求項５】
前記伸縮帯が脚側から胴側に向って徐々に弾性率が小さくなる複数本のゴムが並んで設けられた平帯状のゴムから形成されたことを特徴とする請求項４記載の迅速フィット快適下着。
【請求項６】
前記腹部収容受けが脚側から胴側に向って伸縮が大きくなるように伸縮率が大きく形成されたことを特徴とする請求項３〜５のいずれかに記載の迅速フィット快適下着。
【請求項７】
前記第１または第２の切り込みの各縁部から伸長された延長部が、それぞれ対向する縁部に向けて延長され、装着後の装着部と肌との間に差し込まれることを特徴とする請求項１〜６のいずれかに記載の迅速フィット快適下着。
【請求項８】
前記延長部が、装着後の装着部を覆って係止されることを特徴とする請求項７記載の迅速フィット快適下着。
【発明の詳細な説明】
【技術分野】
【０００１】
本発明は、腹部の贅肉が膨出していても、使用者の胴回り長さと腹部形状に応じてワンタッチで自在に下着のウェスト長さと形態を適合させることができ、胴回りのほとんどの箇所で緊締感を感じさせない、とくに就寝時に皮膚の圧迫でストレスを感じて睡眠を妨げられることのない迅速フィット快適下着に関する。
【背景技術】
【０００２】
従来、男性用下着はトランクスあるいはパンツ、ブリーフ等が主流である。これらの下着は通常、上端の腰周り部に装着用のゴムが設けられており、ゴムの力で使用者のウェスト部分を締め付けて腰骨から下に脱落しないようにしている。ショーツ等の女性用下着も基本的に男性用下着と同様である。
【０００３】
しかし、このような下着には、多くの場合、Ｓ，Ｍ，Ｌ，ＬＬサイズ等といった数段階のサイズが設けられているのが普通であり、また、メーカーによっても同じＳ，Ｍ，Ｌといってもサイズが異なることが多いし、なかなか所望の緊締力の下着を身に着けることは難しい。その上、同じ下着であっても、時間帯によって、例えば昼間の活動時期には比較的強い締め付けが求められるが、夜間の睡眠導入時や就寝時には同じ締め付けではゴムが肌を圧迫し、これがストレスとなってスムーズに睡眠導入できない、あるいはこれによって安眠が妨げられ、睡眠不足に陥ることも多い。最近このようなストレスが現代人の安眠を妨害しているとの医学的報告がなされている。
【０００４】
さらに、下着を着用する使用者の体型にも大きな差があり、とくに最近は食生活の高カロリー、高脂肪、高蛋白質化のため、年齢と比例して壮年期から初老期、さらには老年期にかけて肥満が進んでいる傾向がある。肥満者の腹部から贅肉が膨出したときは、腰周りの長さだけでなく、腹部の形状と下着の上部形状が不適合となって、圧迫感、不快感を与えてしまうことが多い。これを避けるため、例えば、幅広の平帯状のゴムを使用した下着を着用していても、こうした体型の人には平帯状のゴムのエッジ部分に局部的な力が発生し、どうしても不快感を与えてしまうことが多い。
【０００５】
そこで、従来、このような下着の腰回りの締め付け具合を、使用者の個々の体型、さらにはその腰回りのその時々の状況に有効に適合させることができる履き心地の良い下着が提案された（例えば、特許文献１）。
【０００６】
図７は従来の下着の説明図である。図７に示すように、トランクス１００の腰回り１にゴム通し部を形成し、平帯状の第１ゴム１０２をその腰回り１の後方部から側方部のやや前方にかけて挿通し、この側方部のやや前方位置２箇所において第１ゴム１０２の両端部が縫着されている。また第１ゴム１０２の両縫着Ｋ、Ｋ箇所には、丸ゴムから成る第２ゴム１０５の基端部１０４が僅かに重ねられて縫着されており、その先端側は縫着されることなく自由端部とされ、これもまたゴム通し部内に挿通され、さらにゴム通し部の腹部位置表側の左右対称２箇所に設けられた切り込みからその先端部分が一定幅で外方に取り出されて締め付け操作部とされている。
【０００７】
この従来の下着においては、平帯状の第１ゴム１０２、丸ゴムの第２ゴム１０５はその弾力度（伸長度、引張力等）が異なり、第１ゴム１０２の方がより大きな引張力を有し伸長幅が小さいものである。従って、トランクス１００の後方部の広い幅間で第１ゴム１０２による基本的なしっかりとした締め付け具合が維持され、その前方部の腹側一定幅間で、第２ゴム１０５の弱い引張力、且つ大きな伸長力による緩やかな締め付け調整がなされる。そして、第１ゴム１０２と第２ゴム１０５を腰回り１の略全周に配設したため、締め付け強さが例えば各ゴムの引張力に応じた比率でバランス化されて略全周に分散される。従って局部的に偏った締め付け等の弊害が少なく、腰回りの感触もよい。またトランクス１００の腰回り１０１には絞り皺が生じるものの、この皺もまた全周に略均一に分散され、紐を用いた場合等に見られる局部的に偏った皺の発生が防止できる。
【０００８】
そして、一度腰周り部分１０１の締め付け調整をしておけば、第１ゴム１０２、第２ゴム１０５の連動に起因して伸長度（幅）がより増大するから、入浴、用便の際などに毎回第２ゴム１０５を解くことなくトランクス１００を着脱することが可能となる。また洗濯をしても、第２ゴム１０５が解けない限り腰回り寸法は変わらない。一方、満腹でトランクス１００の腰周り部分１がきつくなったり、就寝時に腰に締め付けの負担を感じる場合には、第２ゴム１０５を解いて開放したりすればよく、これにより腰部の血行も良くなり、一層健康を確保することが可能となる。なおこのトランクス１００は汎用性を備えるため、個々の需用者にとってトランクスの購入数量を少なくすることができ、結果的に購入費用を安く抑えることが可能となる。
【０００９】
【特許文献１】特開２０００−２２６８０２号公報
【発明の開示】
【発明が解決しようとする課題】
【００１０】
以上説明した特許文献1の下着は、トランクス１００の後方部の広い幅間で第１ゴム１０２による基本的なしっかりとした締め付け具合が維持され、その前方部の腹側一定幅間で、第２ゴム１０５の弱い引張力、且つ大きな伸長力による緩やかな締め付け調整がなされるものであった。そして、第１ゴム１０２と第２ゴム１０５を腰回り１０１の略全周に配設したため、締め付け強さが例えば各ゴムの引張力に応じた比率でバランス化されて略全周に分散され、局部的に偏った締め付け等の弊害が少なく、腰回りの感触もよいものである。
【００１１】
しかし、特許文献1の下着は、第１ゴム１０２と第２ゴム１０５を使い、腰回り１０１の略全周に配設したことにより締め付け強さが略全周に分散されたとはいうものの、締め付け感の解消は十分でなく、就寝時には違和感が残るため第２ゴム５を解いて開放する必要があった。
【００１２】
また、使用者の個々の体型、さらにはその腰回りのその時々の状況に有効に下着を適合させることができるとはいうものの、第１ゴム１０２と第２ゴム１０５を腰回り１の略全周に配設するため、基本的にはゴムが全体的に腰周りを締め付ける。使用者の胴回りで完全にリラックスできている箇所はない。しかも、丸ゴムである第２ゴム１０５をトランクス１００の前面で互いに交差させて結ぶため、引張力とともに、大きな結び目が腹部に形成され、腹部を圧迫し、不快感を与えることになる。
【００１３】
そして、一度結んだ丸ゴムを解くのはゴム自身の緊締力のため難しく、就寝するとき毎晩これを解くのはきわめて面倒で、何度か繰返しているうちに第２ゴム１０５自体が弾力性を失って紐状になってしまうし、ゴムの弛緩でトランクス１００の寿命はきわめて短くなる。場合によっては、硬い結び目ができるため、解けなくなることも生じる。さらに、ズボン等をはいたときには、バンドの金具がこの結び目を上から押圧し、局所的な圧迫感、あるいはこれを越えて痛みや痒みを発生することすら起こる。
【００１４】
とくに肥満者にとっては、丸ゴムの結び目が硬い塊状態になって常時腹部を圧迫するのがきつい上に、ゴムの引張力のため結び目が硬くなり、繰返してこれを行うのは事実上無理で、このトランクス１００は使えないものであった。
【００１５】
そこで本発明は、使用者の胴回り長さと腹部形状に応じてワンタッチで自在に下着のウェスト長さと形態を適合させることができ、胴回りのほとんどの箇所で緊締感を感じさせることがなく、就寝時に皮膚の圧迫でストレスを感じて睡眠を妨げられることのない迅速フィット快適下着を提供することを目的とする。
【課題を解決するための手段】
【００１６】
上記問題を解決するため本発明の迅速フィット快適下着は、腰周り部の腹部正面から各腰骨までの間の対称的な位置に第１の切り込みと第２の切り込みが形成され、第１及び第２の切り込み間の布片が腹部を覆うための前方カバー片とされ、且つ、腰周り部のズレ落ち防止用の装着部が、前方カバー片の第１及び第２の切り込みの各縁部からそれぞれ臀部側に向けて伸長された第１の迅速接着帯と、腰周り部の第１及び第２の切り込みの各臀部側縁部に一端が取り付けられ腹部に向けて伸長された伸縮帯と、該各伸縮帯の他端に設けられ更に腹部向けて伸長されて第１の迅速接着帯と着脱可能な第２の迅速接着帯と、から構成され、第１及び第２の迅速接着帯の着脱位置を調整することにより、使用者体型に応じて腰周り部のウェスト長さと前方カバー片の形状を適合させることを主要な特徴とする。
【発明の効果】
【００１７】
本発明の迅速フィット快適下着によれば、伸縮帯の伸縮作用を利用し、且つ、第１及び第２の迅速接着帯の着脱位置を調整することで、使用者の胴回り長さと腹部形状に応じて、ワンタッチで自在に下着のウェスト長さと腹部形態を適合させることができ、腰周り部の２箇所の装着部だけが調整可能に伸縮し、他の部分は緊締力がまったく作用しないため、胴回りのほとんどの箇所で緊締感を感じさせることがなく、就寝時に皮膚の圧迫でストレスを感じて睡眠を妨げられることはない。
【発明を実施するための最良の形態】
【００１８】
本発明の第１の形態は、両脚を挿通するとともに股間部を覆い、腰周り部にズレ落ち防止用の装着部が設けられた迅速フィット快適下着であって、腰周り部の腹部正面から各腰骨までの間の対称的な位置に第１の切り込みと第２の切り込みが形成され、第１及び第２の切り込み間の布片が腹部を覆うための前方カバー片とされ、且つ、装着部が、前方カバー片の第１及び第２の切り込みの各縁部からそれぞれ臀部側に向けて伸長された第１の迅速接着帯と、腰周り部の第１及び第２の切り込みの各臀部側縁部に一端が取り付けられ腹部に向けて伸長された伸縮帯と、該各伸縮帯の他端に設けられ更に腹部向けて伸長されて第１の迅速接着帯と着脱可能な第２の迅速接着帯と、から構成され、第１及び第２の迅速接着帯の着脱位置を調整することにより、使用者体型に応じて腰周り部のウェスト長さと前方カバー片の形状を適合させる迅速フィット快適下着であり、伸縮帯の伸縮作用を利用し、且つ、第１及び第２の迅速接着帯の着脱位置を調整することで、使用者の胴回り長さと腹部形状に応じて、ワンタッチで自在に下着のウェスト長さと腹部形態を適合させることができ、腰周り部の２箇所の装着部だけが調整可能に伸縮するため他の部分は緊締力がまったく作用しないことから、胴回りのほとんどの箇所で緊締感を感じさせることがなく、就寝時に皮膚の圧迫でストレスを感じて睡眠を妨げられることはない。
【００１９】
本発明の第２の形態は、第１の形態に従属する形態であって、第１及び第２の迅速接着帯がいずれもマジックテープ（登録商標）で形成された迅速フィット快適下着であり、伸縮帯の伸縮作用を利用し、第１及び第２のマジックテープ（登録商標）の着脱位置を調整することで、使用者の胴回り長さと腹部形状に応じて、ワンタッチで自在に迅速フィット快適下着のウェスト長さと腹部形態を適合させることができる。
【００２０】
本発明の第３の形態は、第１または２の形態に従属する形態であって、前方カバー片の腹部側には、使用者の膨出した腹部を圧迫せずに収容できる腹部収容受けが形成されるとともに、第１及び第２の切り込みの各縁部にそれぞれ第１の迅速接着帯が設けられている迅速フィット快適下着であり、膨出した腹部を圧迫せずに収容できる腹部収容受けがあるため、使用者の胴回り長さと腹部形状に応じて、胴回りのほとんどの箇所でさらに緊締感を感じさせることがなく、就寝時に皮膚の圧迫でストレスを感じて睡眠を妨げられることはない。
【００２１】
本発明の第４の形態は、第１〜３のいずれかの形態に従属する形態であって、伸縮帯が脚側から胴側に向って伸縮率が大きく形成された迅速フィット快適下着であり、伸縮帯の伸縮率が胴側に向って大きくなるので、伸縮帯の作用で、使用者の胴回り長さと腹部形状に応じて下着のウェスト長さと腹部形態を更に適合させることができる。
【００２２】
本発明の第５の形態は、第４の形態に従属する形態であって、伸縮帯が脚側から胴側に向って徐々に弾性率が小さくなる複数本のゴムが並んで設けられた平帯状のゴムから形成された迅速フィット快適下着であり、平帯状のゴムで安価に速フィット快眠下着を作製することができる。
【００２３】
本発明の第６の形態は、第３〜５のいずれかの形態に従属する形態であって、腹部収容受けが脚側から胴側に向って伸縮が大きくなるように伸縮率が大きく形成された迅速フィット快適下着であり、腹部収容受けの作用で、使用者の胴回り長さと腹部形状に応じて下着のウェスト長さと腹部形態を更に適合させることができる。
【００２４】
本発明の第７の形態は、第１〜６のいずれかの形態に従属する形態であって、第１または第２の切り込みの各縁部から伸長された延長部が、それぞれ対向する縁部に向けて延長され、装着後の装着部と肌との間に差し込まれる迅速フィット快適下着であり、延長部が装着後の装着部と肌との間に差し込まれ、比較的硬い素材が多い第１及び第２の迅速接着帯と肌との間を遮断するので違和感がない。
【００２５】
本発明の第８の形態は、第７の形態に従属する形態であって、延長部が、装着後の装着部を覆って係止される迅速フィット快適下着であり、第１及び第２の迅速接着帯と肌との間を遮断するので違和感がなくなる同時に、洗濯時に他の洗濯物と絡まったり、装着部の位置ズレ等が起きたりすることがない。
【実施例１】
【００２６】
以下、本発明の実施例１における迅速フィット快適下着について説明する。実施例１の迅速フィット快適下着は男性用のものである。図１は本発明の実施例１における迅速フィット快適下着の装着前の正面図、図２は本発明の実施例１における迅速フィット快適下着の装着後の全体正面図、図３は本発明の実施例１における迅速フィット快適下着の装着前の装着部の前方カバー片側の要部拡大図、図４は本発明の実施例１における迅速フィット快適下着の装着前の装着部の臀部側の要部拡大図である。
【００２７】
図１、図２は男性用の迅速フィット快適下着の装着前と装着後の全体の様子、図３、図４は男性用の迅速フィット快適下着の装着前と装着後の装着部の要部拡大状態を示している。
【００２８】
図1，２において、１は使用者の腹部Ａから両腰骨Ｂ、臀部Ｃにかけて股間部を覆う男性用の迅速フィット快適下着、２ａ，２ｂは迅速フィット快適下着１の腰周り部Ｄの腹部Ａ正面から各腰骨Ｂまでの間の対称的な位置に設けられた右半身側、左半身側の各切り込み（本発明の第１の切り込み、第２の切り込み）、３は切り込み２ａ，２ｂによって迅速フィット快適下着１の正面側に形成された布片によって使用者の腹部Ａを覆う前方カバー片である。なお、実施例１においては切り込み２ａ，２ｂは腰周り部Ｄの腹部Ａ正面から各腰骨Ｂまでの対称的な位置に設けられているが、完全な対称位置でなく、必要に応じて位置を変えることも、更に数を増すこともできる。
【００２９】
４ａ，４ｂは迅速フィット快適下着１が使用者に着用されるとき、迅速フィット快適下着１がズレ落ちないようにするために腰周り部Ｄに設けられた２箇所の装着部である。装着部４ａ，４ｂは２箇所に限らず、２箇所以上設けることも可能である。しかし、数が増せばワンタッチとはいうものの、迅速性を損なうので２箇所が好適である。１箇所、３箇所等奇数箇所に設けることもできるが、少なくとも１箇所は正面付近に設ける必要が生じるので腹部Ａの違和感を避けるためできれば２箇所が望ましい。腰周り部Ｄの腰骨Ｂの脇近くの前方の２箇所は比較的感覚の鈍いところであり、ここに若干の緊締力がかかっても自覚が乏しく、他の部分は緊締力がまったく作用しないため違和感が最小となり好適である。なお、本明細書でいう腰周り部Ｄとは、腰骨Ｂ付近の若干上の高さで迅速フィット快適下着１がズレ落ちないように緊締力を与える部位で、従来の下着においては、いわゆる締め付け用のゴムが設けられていた胴回り部分である。
【００３０】
次に、図３、図４は迅速フィット快適下着の装着部４の具体的構成を詳細に示している。５ａ，５ｂは前方カバー片３の切り込み２ａ，２ｂからそれぞれ臀部Ｃ側に伸長されたマジックテープ（登録商標、本発明の第１の迅速接着帯）、６ａ，６ｂは前方カバー片３の切り込み２ａ，２ｂの端部に重ね代等が逢着された各縁部である。また、７ａ，７ｂは腰周り部Ｄの切り込み２ａ，２ｂにそれぞれ一端が取り付けられた伸縮帯、８ａ，８ｂは伸縮帯７ａ，７ｂのそれぞれの臀部側縁部である。臀部側縁部８ａ，８ｂも重ね代等が逢着された縁部である。
【００３１】
伸縮帯７ａ，７ｂは、基本的に柔らかいものが使用され、使用者の脚側から胴側に向って徐々に弾性率が小さくなる複数本のゴムが並んで設けられた平帯状のゴムから形成され、腰周り部Ｄで伸縮率が大きくなるように形成されている。弾性率の変化が同様にできれば、これに代えて他の平帯状のゴムを使用できるのは当然である。このように伸縮帯７ａ，７ｂの伸縮率が本来的に柔らかい上に、胴側に向って大きくなるので、伸縮帯７ａ，７ｂの作用で、使用者の胴回り長さと腹部Ａの形状に応じて迅速フィット快適下着１のウェスト長さと腹部形態を更に適合させることができる。複数本のゴムが並んで設けられた平帯状のゴムで伸縮帯７ａ，７ｂを作った場合、安価に迅速フィット快適下着を作製することができる。
【００３２】
続いて、９ａ，９ｂは切り込み２ａ，２ｂの臀部側縁部８ａ，８ｂに設けられたマジックテープ（登録商標、本発明の第２の迅速接着帯）であり、伸縮帯７ａ，７ｂが逢着された側と反対の側端部から腹部Ａ側に向けて伸長され、前方カバー片３の各縁部６ａ，６ｂから伸長されたマジックテープ（登録商標）５ａ，５ｂと、互いに接着面を密着させて着脱することができる。
【００３３】
１０は前方カバー片３の上部側（腹部Ａの胴側）に設けられた腹部収容受けである。この腹部収容受け１０は、肥満のため贅肉で膨出した腹部Ａを圧迫せずに迅速フィット快適下着１内に収容できるように、上部側になるに従ってウェスト長さを大きくし、余裕をもったポケット表生地と類似した形態に形成されている。従って、腹部収容受け１０の下端線は弧状のラインをなし、前方カバー片３に別の布として縫着されてもよいし、あるいは一枚の前方カバー片３に弧状のラインとその長さを固定するための縫着処理を行ってもよい。そして、このラインの上側を脚側から胴側に向って伸縮が大きくなるように、伸縮率を大きく形成すれば、腹部収容受け１０の作用で更に適合が容易且つ好適なものになる。ただし、腹部収容受け１０は肥満体の使用者以外はあまり必要がなく、通常体型の人であれば、実施例１と異なり、これを省略して、前方カバー片３に余裕をもたせた使用法で十分足りる。
【００３４】
図３，図４に示すように、装着部４ａ，４ｂの装着を行うときには、伸縮帯７ａ，７ｂの一端に縫着されたマジックテープ（登録商標）５ａ，５ｂと、腹部収容受け１０の上端に取り付けられたマジックテープ（登録商標）９ａ，９ｂをそれぞれ接着させることにより、使用者の腰周り部Ｄに係止される。
【００３５】
続いて、実施例１の迅速フィット快適下着１を身体に適合させるための装着手順を説明する。まず、迅速フィット快適下着１に両脚を挿通し、股間部にはいた状態で腰周り部Ｄの位置まで引き上げる。このとき、マジックテープ（登録商標）５ａ，５ｂとマジックテープ（登録商標）９ａ，９ｂは接着されておらず、前方カバー片３はだらりとした状態で垂れている。
【００３６】
次に、マジックテープ（登録商標）５ａ，５ｂと、マジックテープ（登録商標）９ａ，９ｂを自分が感じる好適な緊締力を与える位置で接着する。昼間の活動時期には比較的強い緊締力が得られる位置で接着するのがよいが、就寝するときには接着位置を昼間の位置からずらし、緩めた位置で接着する。これにより、使用者がワンタッチで自在に自分の体型と迅速フィット快適下着１のウェスト長さと腹部形態を適合させることができる。
【００３７】
なお、装着部４ａ，４ｂを装着したとき、切り込み２ａ，２ｂ部分に大きな開口を残すような寸法の迅速フィット快適下着１は、使用者の身体には不適合であるとの印象が強くなる上に、風邪等も引き易くなるから、できるだけ開口を残さない寸法の迅速フィット快適下着１を採用するのがよい。但し、積極的に開口部分で通気性をもたせる使用方法もある。同様に、装着部４ａ，４ｂを装着するときの方法も、切り込み２ａ，２ｂ部分に開口を残した装着は雑な感じで、印象が良くないので避けるべきである。
【００３８】
このように実施例１の男性用の迅速フィット快適下着は、伸縮帯７ａ，７ｂの伸縮作用を利用し、マジックテープ（登録商標）５ａ，５ｂとマジックテープ（登録商標）９ａ，９ｂの着脱位置を調整することで、体型に対する下着のウェスト長さと腹部形態を適合させることができ、腰周り部の２箇所、できれば感覚の鈍い位置に設けた２箇所の装着部４ａ，４ｂだけが調整可能に伸縮することで、他の部分は緊締力がまったく作用しないため、胴回りのほぼ全域で緊締感を感じさせることがなく、就寝時に皮膚の圧迫でストレスを感じて睡眠を妨げられることはない。
【実施例２】
【００３９】
本発明の実施例２における迅速フィット快適下着について説明する。実施例２の迅速フィット快適下着も男性用のものである。図５は本発明の実施例２における男性用の迅速フィット快適下着の装着部の要部拡大図である。
【００４０】
実施例２の男性用の迅速フィット快適下着は基本的に実施例１の構成と同一であり、装着部４ａ，４ｂを構成する伸縮帯７ａ，７ｂや、マジックテープ（登録商標）５ａ，５ｂとマジックテープ（登録商標）９ａ，９ｂ等が直接肌に触れたり、外部に目立たないようにしたものである。従って、図１〜図４を参照し、実施例１で説明した符号は実施例２においても同一であって、これらの説明は省略する。
【００４１】
図５において、１１は腰周り部Ｄの及び切り込み２ａの臀部側縁部８ａから伸長された延長部である。延長部１１は、腰周り部Ｄの位置の上端部から胴側へ所定幅、また切り込み２ａの縁部６ａ側に向けてそれぞれ所定幅だけ伸長され、装着された装着部４ａを覆い、これらと肌との間を分離できるようになっている。１２は延長部１１の先端側上部位置に設けられた細長いマジックテープ（登録商標）である。また、１３はこのマジックテープ（登録商標）１２と着脱可能な、マジックテープ（登録商標）５ａの裏側に取り付けられたマジックテープ（登録商標）、１４は接着位置を確認するための目盛りである。装着部４ａの接着後、装着したマジックテープ（登録商標）５ａ，５ｂとマジックテープ（登録商標）９ａ，９ｂ等を延長部１１で覆い、マジックテープ（登録商標）１２，１３で固定するため、違和感も更になくなる。
【００４２】
同様に、以上の説明と重複するため詳細には説明しないが、延長部１１はこれと対称的な位置と形状で切り込み２ｂの側にも設けられる。さらに、延長部１１は縁部６ａ，６ｂの側に設けるのではなく、臀部側縁部８ａ，８ｂ側に設けるのでもよい。
【００４３】
さらに、目盛り１４で接着位置を確認すれば、一度最適なウェスト長さや形状がえられた場合、対向するマジックテープ（登録商標）５ａ，５ｂ、９ａ，９ｂ同士を分離しても、以後簡単に最もフィットした位置に繰り返し適合させることができる。
【００４４】
そして、装着部を装着した後、この部分を延長部１１で覆い、マジックテープ（登録商標）１２，１３で固定して洗濯を行えば、接着部分が洗濯中に毛糸等の他の洗濯物と絡まったり、接着中のマジックテープ（登録商標）５ａ，５ｂ、９ａ，９ｂの位置ズレ等が起きたりすることがない。
【００４５】
このように実施例２の男性用の迅速フィット快適下着１は、装着部を装着した後、この部分を延長部１１で覆い、マジックテープ（登録商標）１２，１３で固定するため、下着を着けたときの使用者の違和感がきわめて小さくなる。さらに、最もフィットした位置に適合させることが容易になり、洗濯時に他の洗濯物と絡まったり、位置ズレ等が起きたりすることがない。
【実施例３】
【００４６】
本発明の実施例３における迅速フィット快適下着について説明する。実施例３の迅速フィット快適下着は女性用のものである。図６は本発明の実施例３における迅速フィット快適下着の装着前の正面図である。実施例３の迅速フィット快適下着は女性用の下着という点で相違するだけで、基本的に実施例１，２の男性用の構成と同一であり、図１〜図５を参照し、実施例１，２で説明した符号は実施例３においても同一であって、これらの説明は省略する。
【００４７】
図６において、１ａは女性用のショーツとして作られた迅速フィット快適下着である。迅速フィット快適下着１ａの形態が女性用のショーツである点を除き、実施例１，２の説明と変わるところはない。
【００４８】
このように実施例３の実施例３における女性用の迅速フィット快適下着も、伸縮帯７ａ，７ｂの伸縮作用を利用し、マジックテープ（登録商標）５ａ，５ｂとマジックテープ（登録商標）９ａ，９ｂの着脱位置を調整することで、体型に対する下着のウェスト長さと腹部形態を適合させることができ、腰周り部の２箇所、できれば感覚の鈍い位置に設けた装着部４ａ，４ｂだけが調整可能に伸縮することで、他の部分は緊締力がまったく作用しないため、胴回りのほぼ全域で緊締感を感じさせることがなく、就寝時に皮膚の圧迫でストレスを感じて睡眠を妨げられることはない。
【産業上の利用可能性】
【００４９】
本発明は、胴回りのほとんどの箇所で緊締感を感じさせることがなく、就寝時に皮膚の圧迫でストレスを感じて睡眠を妨げられることはない。
【図面の簡単な説明】
【００５０】
【図１】本発明の実施例１における迅速フィット快適下着の装着前の正面図
【図２】本発明の実施例１における迅速フィット快適下着の装着後の全体正面図
【図３】本発明の実施例１における迅速フィット快適下着の装着前の装着部の前方カバー片側の要部拡大図
【図４】本発明の実施例１における迅速フィット快適下着の装着前の装着部の臀部側の要部拡大図
【図５】本発明の実施例２における迅速フィット快適下着の装着部の要部拡大図
【図６】本発明の実施例３における迅速フィット快適下着の装着前の正面図
【図７】従来の下着の説明図
【符号の説明】
【００５１】
１，１ａ  迅速フィット快適下着
２ａ，２ｂ  切り込み
３  前方カバー片
４ａ，４ｂ  装着部
５ａ，５ｂ，９ａ，９ｂ，１２，１３  マジックテープ（登録商標）
６ａ，６ｂ  各縁部
７ａ，７ｂ  伸縮帯
８ａ，８ｂ  臀部側縁部
１０  腹部収容受け
１１  延長部
１４  目盛り
【図１】
2006249621.tif 000003
【図２】
2006249621.tif 000004
【図３】
2006249621.tif 000005
【図４】
2006249621.tif 000006
【図５】
2006249621.tif 000007
【図６】
2006249621.tif 000008
【図７】
2006249621.tif 000009